(57)【特許請求の範囲】
【請求項１】
送信装置と、該送信装置から無線送信されるデータを受信する受信装置と、を含む無線通信システムであって、
前記受信装置は、
前記送信装置から送信されたデータの再送を該送信装置に要求する再送要求手段と、
前記再送要求手段が前記データの再送を要求したタイミングで、所定時間後に満了する該データに係る再送タイマを起動し、該データの一部が前記送信装置から受信されたタイミングで、該データに係る再送タイマを再起動する再送タイマ制御手段と、
を含み、
前記送信装置は、
前記受信装置からデータの再送を要求された場合に、該データを該受信装置に再送するデータ再送手段と、
前記受信装置から第１および第２のデータの再送を要求され、かつ前記データ再送手段が前記第１のデータを分割再送する場合に、該第１のデータの分割再送に前記第２のデータの分割再送の一部を割り込ませる再送制御手段と、
を含み、
前記再送制御手段は、前記第２のデータに係る再送タイマが満了する前に、前記第１のデータの分割再送に前記第２のデータの分割再送の一部を割り込ませる、
ことを特徴とする無線通信システム。
【請求項２】
受信装置にデータを無線送信する送信装置であって、
当該送信装置から送信されたデータの再送を当該送信装置に要求する再送要求手段と、
前記再送要求手段が前記データの再送を要求したタイミングで、所定時間後に満了する該データに係る再送タイマを起動し、該データの一部が当該送信装置から受信されたタイミングで、該データに係る再送タイマを再起動する再送タイマ制御手段と、
を含む前記受信装置からデータの再送を要求された場合に、該データを該受信装置に再送するデータ再送手段と、
前記受信装置から第１および第２のデータの再送を要求され、かつ前記データ再送手段が前記第１のデータを分割再送する場合に、該第１のデータの分割再送に前記第２のデータの分割再送の一部を割り込ませる再送制御手段と、
を含み、
前記再送制御手段は、前記第２のデータに係る再送タイマが満了する前に、前記第１のデータの分割再送に前記第２のデータの分割再送の一部を割り込ませる、
ことを特徴とする送信装置。
【請求項３】
受信装置が、送信装置から無線送信された第１および第２のデータの再送を該送信装置に要求するステップと、
前記受信装置が前記第１および第２データの再送を要求したタイミングで、所定時間後に満了する該第１および第２のデータに係る再送タイマをそれぞれ起動するステップと、
前記送信装置が、前記第１のデータを前記受信装置に分割再送するステップと、
前記送信装置が、前記第１のデータの分割再送に前記第２のデータの分割再送の一部を割り込ませる再送制御ステップと、
前記受信装置が前記送信装置から再送されるデータの一部を受信したタイミングで、該データに係る再送タイマを再起動するステップと、
を含み、
前記再送制御ステップにおいて、前記送信装置が、前記第２のデータに係る再送タイマが満了する前に、前記第１のデータの分割再送に前記第２のデータの分割再送の一部を割り込ませる、
ことを特徴とするデータ再送方法。
【発明の詳細な説明】
【技術分野】
【０００１】
本発明は、無線通信システム、送信装置、受信装置、およびデータ再送方法に関する。
【背景技術】
【０００２】
誤りが検出されたデータだけを再送するＳＲ（Selective Repeat：選択再送）方式と呼ばれるＡＲＱ（Automatic Repeat Request：自動再送要求）方式が知られている。このＳＲ方式は、無線通信システムにも採用されている（たとえば非特許文献１の９．５．３節参照）。
【０００３】
ＳＲ方式では、受信装置が、正常に受信されなかったデータの再送を要求するＳＲＥＪ（Selective Rejection）を送信装置に送信したタイミングで、ＳＲＥＪ再送タイマを起動（開始）する。そして、再送を要求したデータが正常に受信されないままＳＲＥＪ再送タイマが満了（タイムアウト）すると、受信装置は再びＳＲＥＪを送信するとともに、新たにＳＲＥＪ再送タイマを起動する。ただし、同じデータを指定したＳＲＥＪの送信回数が規定回数を超えると、受信装置は、送信装置にＦＲＭＲ（Frame Reject）を送信し、ＡＲＱ動作をキャンセルする。
【先行技術文献】
【非特許文献】
【０００４】
【非特許文献１】“ARIBSTD-T95「OFDMA/TDMA TDDBroadband Wireless Access System ARIB STANDARD」1.0版”、平成１９年１２月１２日、社団法人電波産業会
【発明の概要】
【発明が解決しようとする課題】
【０００５】
しかしながら、ＳＲ方式を採用する無線通信システムでは、無線伝送路の品質低下などによって送信装置のデータ伝送速度が低下しデータの分割送信が必要になると、送信装置が再送を要求されたデータをすべて送信し終わる前に、そのデータに係るＳＲＥＪ再送タイマがタイムアウトしてしまうことがある。このＳＲＥＪ再送タイマのタイムアウトは、短時間のうちに受信装置が複数のデータの再送を要求する場合に特に発生しやすい。これは、ＳＲ方式に限らず、再送要求を送信したタイミングで再送タイマを起動するＡＲＱ方式を採用する無線通信システム全般に共通する課題である。
【０００６】
本発明は、上記課題に鑑みてなされたものであり、再送タイマのタイムアウトによるデータ再送効率の低下を抑制することができる無線通信システム、送信装置、受信装置、およびデータ再送方法を提供することを目的とする。
【課題を解決するための手段】
【０００７】
上記課題を解決するために、本発明に係る無線通信システムは、送信装置と、該送信装置から無線送信されるデータを受信する受信装置と、を含む無線通信システムであって、前記受信装置は、前記送信装置から送信されたデータの再送を該送信装置に要求する再送要求手段と、前記再送要求手段が前記データの再送を要求したタイミングで、所定時間後に満了する該データに係る再送タイマを起動し、該データの一部が前記送信装置から受信されたタイミングで、該データに係る再送タイマを再起動する再送タイマ制御手段と、を含み、前記送信装置は、前記受信装置からデータの再送を要求された場合に、該データを該受信装置に再送するデータ再送手段と、前記受信装置から第１および第２のデータの再送を要求され、かつ前記データ再送手段が前記第１のデータを分割再送する場合に、該第１のデータの分割再送に前記第２のデータの分割再送の一部を割り込ませる再送制御手段と、を含むことを特徴とする。
【０００８】
本発明では、送信装置が、受信装置から再送を要求された第１のデータを分割再送する場合に、第１のデータの分割再送に、同じく再送を要求された第２のデータの分割再送の一部を割り込ませる。一方、受信装置は、送信装置に再送を要求したデータの一部が受信されたタイミングで、そのデータに係る再送タイマを再起動する。本発明によれば、第１のデータの分割再送が完了する前に第１のデータに係る再送タイマおよび第２のデータに係る再送タイマがそれぞれ再起動されるため、再送タイマのタイムアウトによるデータ再送効率の低下を抑制することができる。
【０００９】
また、前記再送制御手段は、前記第２のデータに係る再送タイマが満了する前に、前記第１のデータの分割再送に前記第２のデータの分割再送の一部を割り込ませてもよい。こうすれば、第２のデータに係る再送タイマのタイムアウトが防止されるため、データ再送効率の低下をさらに抑制することができる。
【００１０】
また、本発明に係る送信装置は、受信装置にデータを無線送信する送信装置であって、当該送信装置から送信されたデータの再送を当該送信装置に要求する再送要求手段と、前記再送要求手段が前記データの再送を要求したタイミングで、所定時間後に満了する該データに係る再送タイマを起動し、該データの一部が当該送信装置から受信されたタイミングで、該データに係る再送タイマを再起動する再送タイマ制御手段と、を含む前記受信装置からデータの再送を要求された場合に、該データを該受信装置に再送するデータ再送手段と、前記受信装置から第１および第２のデータの再送を要求され、かつ前記データ再送手段が前記第１のデータを分割再送する場合に、該第１のデータの分割再送に前記第２のデータの分割再送の一部を割り込ませる再送制御手段と、を含むことを特徴とする。
【００１１】
また、本発明に係る受信装置は、送信装置から無線送信されたデータの再送を該送信装置に要求する再送要求手段と、前記再送要求手段が前記データの再送を要求したタイミングで、所定時間後に満了する該データに係る再送タイマを起動し、該データの一部が前記送信装置から受信されたタイミングで、該データに係る再送タイマを再起動する再送タイマ制御手段と、を含むことを特徴とする。
【００１２】
また、本発明に係るデータ再送方法は、受信装置が、送信装置から無線送信された第１および第２のデータの再送を該送信装置に要求するステップと、前記受信装置が前記第１および第２データの再送を要求したタイミングで、所定時間後に満了する該第１および第２のデータに係る再送タイマをそれぞれ起動するステップと、前記送信装置が、前記第１のデータを前記受信装置に分割再送するステップと、前記送信装置が、前記第１のデータの分割再送に前記第２のデータの分割再送の一部を割り込ませるステップと、前記受信装置が前記送信装置から再送されるデータの一部を受信したタイミングで、該データに係る再送タイマを再起動するステップと、を含むことを特徴とする。
【図面の簡単な説明】
【００１３】
【図１】本発明の実施形態に係る無線通信システムの構成を示す図である。
【図２】ＳＲ方式におけるＳＲＥＪリトライ動作を示すシーケンス図である。
【図３】本実施形態に係るデータ分割再送処理の一例を示すシーケンス図である。
【図４】本実施形態に係る送信装置の機能ブロック図である。
【図５】本実施形態に係る受信装置の機能ブロック図である。
【発明を実施するための形態】
【００１４】
以下、本発明の一実施形態を図面に基づいて詳細に説明する。
【００１５】
図１は、本発明の実施形態に係る無線通信システム１０の構成を示す図である。図１に示すように、無線通信システム１０は、送信装置１２と受信装置１４とを含んで構成される。送信装置１２および受信装置１４は、１または複数の通信チャネルを介して無線通信を行う。なお、無線通信システム１０では、所定の周波数帯域内に規定された複数のサブチャネルと、所定時間幅のフレーム内に規定された複数のタイムスロットと、の組み合わせの数だけ、通信チャネルが存在するものとする。
【００１６】
また、送信装置１２および受信装置１４は、データの再送方式としてＳＲ方式を採用している。このため、図２に示すように、送信装置１２から送信されたデータ＃２が正常に受信されない場合、受信装置１４は、データ＃２の再送を要求するＳＲＥＪを送信装置１２に送信するとともに、データ＃２に係るＳＲＥＪ再送タイマ＃２を起動する。このＳＲＥＪ再送タイマ＃２は、所定時間を計時するためのものであり、起動から所定時間後にそれぞれ満了（タイムアウト）する。
【００１７】
その後、送信装置１２からデータ＃２を正常に受信することができれば、受信装置１４は、ＳＲＥＪ再送タイマ＃２を停止する。しかし、図２に示すように、データ＃２の受信が完了する前にＳＲＥＪ再送タイマ＃２が満了すると、受信装置１４は、再びデータ＃２を指定したＳＲＥＪを送信装置１２に送信するとともに、ＳＲＥＪ再送タイマ＃２を新たに起動する。さらにその後も、データ＃２が正常に受信されず、データ＃２を指定したＳＲＥＪの送信回数が規定回数を超えてしまうと、受信装置１４は、送信装置１２にＦＲＭＲを送信し、データ＃２の再送要求をキャンセルする。
【００１８】
一般に、ＳＲ方式を採用する無線通信システムでは、短時間のうちに複数のデータの再送が要求される場合にＳＲＥＪ再送タイマのタイムアウトが発生しやすい。これは、各データに係るＳＲＥＪ再送タイマがＳＲＥＪが送信されたタイミングで起動されるにもかかわらず、データの再送は１つずつ順に開始されるようになっているためである。特に、無線伝送路の品質低下などによりデータ伝送速度が低下しデータの分割送信が必要とされる場合には、１つのデータの再送に要する時間が長くなるため、ＳＲＥＪ再送タイマのタイムアウト発生頻度がさらに高くなる。
【００１９】
この点、本実施形態に係る無線通信システム１０では、割り当て通信チャネル数の減少や変調多値数の低下などによりデータの分割送信が必要とされる状況下で、短時間のうちに受信装置１４から複数のデータの再送を要求された場合、送信装置１２は、あるデータの分割再送にそのデータ以外のデータの分割再送の一部をそれぞれ割り込ませる。一方、受信装置１４は、再送を要求したデータの一部を送信装置１２から受信したタイミングで、そのデータに係るＳＲＥＪ再送タイマを再起動（一旦停止させてから開始）する。この処理の流れを図３を参照しながらより具体的に説明する。
【００２０】
図３は、無線通信システム１０におけるデータ分割再送処理の一例を示すシーケンス図である。ここでは簡単のために、受信装置１４がデータ＃１およびデータ＃２の再送を連続して要求する場合について説明する。
【００２１】
図３に示すように、受信装置１４は、データ＃１の再送を要求するＳＲＥＪを送信装置１２に送信したタイミングで、データ＃１に係るＳＲＥＪ再送タイマ＃１を起動する。続いて、受信装置１４は、データ＃２の再送を要求するＳＲＥＪを送信装置１２に送信したタイミングで、データ＃２に係るＳＲＥＪ再送タイマ＃２を起動する。
【００２２】
送信装置１２は、受信装置１４からデータ＃１を指定したＳＲＥＪおよびデータ＃２を指定したＳＲＥＪを受信すると、まずデータ＃１から分割再送を開始する。ここでは、送信装置１２のデータ伝送速度に合わせて、データ＃１，＃２ともに複数（ここではｘ個：ｘは２以上の整数）の部分データに分割されて再送されるものとする。
【００２３】
そして、データ＃１のｙ（ｙ＜ｘ：ｙは１以上の整数）番目の部分データまで順次再送し終わると、送信装置１２は、データ＃１のｙ＋１番目の部分データを再送する前に、データ＃２の１番目の部分データの再送を割り込ませる。すなわち、送信装置１２は、データ＃１のｙ番目の部分データを送信するフレームと、データ＃１のｙ＋１番目の部分データを送信するフレームと、の間のフレームで、データ＃２の１番目の部分データを送信する。なお、図３には示されていないが、送信装置１２は、データ＃１の分割再送にデータ＃２の分割再送を断続的に複数回割り込ませてもよい。
【００２４】
一方、受信装置１４は、データ＃１の分割再送が完了するまでの間（データ＃１のｘ番目の部分データの送信が完了するまでの間）、送信装置１２からデータ＃１の部分データを受信するごとに、ＳＲＥＪ再送タイマ＃１を再起動する。このため、データ＃１の分割再送中にＳＲＥＪ再送タイマ＃１がタイムアウトする可能性は低くなる。
【００２５】
同様に、受信装置１４は、データ＃２の分割再送が完了するまでの間、送信装置１２からデータ＃２の部分データを受信するごとに、ＳＲＥＪ再送タイマ＃２を再起動する。上記のとおり、無線通信システム１０では、送信装置１２がデータ＃１の分割再送にデータ＃２の分割再送の一部を割り込ませるため、データ＃１の分割再送中にＳＲＥＪ再送タイマ＃２がタイムアウトする可能性もまた低くなる。
【００２６】
このように、無線通信システム１０では、データ＃１の分割再送が完了する前にＳＲＥＪ再送タイマ＃１，＃２が再起動されるため、ＳＲＥＪ再送タイマのタイムアウトによるデータ再送効率の低下を抑制することができる。
【００２７】
以下、上記処理を実現するために送信装置１２および受信装置１４が備える構成を具体的に説明する。
【００２８】
図４は、送信装置１２の機能ブロック図である。図４に示すように、送信装置１２は、アンテナ２０、無線通信部２２、ベースバンド部２４、信号処理部２６、送信データ形成部２８、再送制御部３０、バッファ３２、および割込タイマ３４を含んで構成される。ここでは、主に送信系の構成について説明する。  
【００２９】
アンテナ２０は、無線通信部２２から供給される無線信号を受信装置１４に対して送信する。また、アンテナ２０は、受信装置１４から無線信号を受信し、受信された無線信号を無線通信部２２に出力する。
【００３０】
無線通信部２２は、電力増幅器、低雑音増幅器、周波数変換器、帯域通過フィルタ、Ｄ／Ａ変換器、およびＡ／Ｄ変換器を含んで構成される。無線通信部２２は、ベースバンド部２４から入力されるディジタル信号をアナログ信号に変換した後、無線信号にアップコンバートし、電力増幅器で送信出力レベルまで増幅してから、アンテナ２０に供給する。また、無線通信部２２は、アンテナ２０から入力される無線信号を低雑音増幅器で増幅した後、中間周波数信号にダウンコンバートし、さらにディジタル信号に変換してから、ベースバンド部２４に出力する。
【００３１】
ベースバンド部２４は、たとえばＤＳＰ（Digital Signal Processor）で構成される。ベースバンド部２４は、無線通信部２２から入力されるディジタル信号に、所定の受信ベースバンド処理を施し、得られた複素シンボル列を信号処理部２６に出力する。また、ベースバンド部２４は、信号処理部２６から入力される複素シンボル列に所定の送信ベースバンド処理を施し、得られたディジタル信号を無線通信部２２に出力する。
【００３２】
信号処理部２６は、送信データ形成部２８から入力される受信装置１４への送信データに対して、送信データの変調方式に応じたシンボルマッピング（振幅と位相の割り当て）を行い、得られた複素シンボル列をベースバンド部２４に出力する。また、信号処理部２６は、ベースバンド部２４から入力される複素シンボル列に対して、受信データの変調方式に応じたシンボルデマッピングを行い、受信データを得る。受信データには、たとえば、ＡＣＫ（Acknowledge：肯定応答）やデータの再送を要求するＳＲＥＪなどがある。
【００３３】
送信データ形成部２８は、送信装置１２と受信装置１４との通信に割り当てられた通信チャネルの数やその通信に適用される変調方式に基づいて、受信装置１４への送信データを形成し、信号処理部２６に出力する。たとえば、割り当てられる通信チャネル数の減少や変調多値数の低下などにより１フレームで送信できる送信データの量が減少すると、送信データ形成部２８は、１つのデータが複数のフレームを用いて分割送信されるよう、データを複数の部分データに分割し、受信装置１４への送信データを形成する。
【００３４】
再送制御部３０は、たとえばＣＰＵ（Central Processing Unit）およびＣＰＵの動作を制御するプログラムで構成され、受信装置１４へのデータの再送を制御する。
【００３５】
すなわち、再送制御部３０は、送信データ形成部２８が信号処理部２６に出力した送信データをバッファ３２に格納する。その後、受信装置１４からそのデータに対するＡＣＫが返されると、再送制御部３０は、そのデータをバッファ３２から削除する。一方、受信装置１４からそのデータを指定したＳＲＥＪが返されると、再送制御部３０は、そのデータをバッファ３２から読み出し、そのデータを受信装置１４に再送するよう送信データ形成部２８などを制御する。
【００３６】
ただし、受信装置１４から複数のデータの再送を要求され、かつそれらのデータをそれぞれ分割再送する必要がある場合、再送制御部３０は、あるデータの分割再送にそのデータ以外のデータの分割再送の一部をそれぞれ割り込ませる。
【００３７】
たとえば、送信装置１２がデータ＃１を指定したＳＲＥＪとデータ＃２を指定したＳＲＥＪとを連続して受信した場合、再送制御部３０は、まずデータ＃１の分割再送を開始する。その後、データ＃１の分割再送開始から所定フレーム経過したタイミングで、再送制御部３０は、データ＃１の分割再送にデータ＃２の分割再送の一部を割り込ませる。なお、再送制御部３０は、データ＃２を指定したＳＲＥＪが受信されたタイミング（データ＃２に係るＳＲＥＪ再送タイマ＃２が起動されたタイミング）で割込タイマ３４に計時を開始させ、割込タイマ３４により計時される時間がＳＲＥＪ再送タイマ＃２の満了時間になる前に、データ＃１の分割再送にデータ＃２の分割再送の一部を割り込ませてもよい。もちろん、再送制御部３０は、データ＃１の分割再送にデータ＃２の分割再送を断続的に複数回割り込ませてもよい。
【００３８】
次に、図５は、受信装置１４の機能ブロック図である。図５に示すように、受信装置１４は、アンテナ４０、無線通信部４２、ベースバンド部４４、信号処理部４６、誤り検出部４８、再送制御部５０（再送要求部５２、再送タイマ制御部５４）、および再送タイマ５６を含んで構成される。ここでは、主に受信系の構成について説明する。  
【００３９】
アンテナ４０は、送信装置１２から無線信号を受信し、受信された無線信号を無線通信部４２に出力する。また、アンテナ４０は、無線通信部４２から供給される無線信号を送信装置１２に対して送信する。
【００４０】
無線通信部４２は、低雑音増幅器、電力増幅器、周波数変換器、帯域通過フィルタ、Ａ／Ｄ変換器、およびＤ／Ａ変換器を含んで構成される。無線通信部４２は、アンテナ４０から入力される無線信号を低雑音増幅器で増幅した後、中間周波数信号にダウンコンバートし、さらにディジタル信号に変換してから、ベースバンド部４４に出力する。また、無線通信部４２は、ベースバンド部４４から入力されるディジタル信号をアナログ信号に変換した後、無線信号にアップコンバートし、電力増幅器で送信出力レベルまで増幅してから、アンテナ４０に供給する。
【００４１】
ベースバンド部４４は、無線通信部４２から入力されるディジタル信号に、所定の受信ベースバンド処理を施し、得られた複素シンボル列を信号処理部４６に出力する。また、ベースバンド部４４は、信号処理部４６から入力される複素シンボル列に所定の送信ベースバンド処理を施し、得られたディジタル信号を無線通信部４２に出力する。
【００４２】
信号処理部４６は、ベースバンド部４４から入力される複素シンボル列に対して、受信データの変調方式に応じたシンボルデマッピングを行い、得られた受信データを誤り検出部４８に出力する。また、信号処理部４６は、再送制御部５０などから入力される送信装置１２への送信データに対して、送信データの変調方式に応じたシンボルマッピングを行い、得られた複素シンボル列をベースバンド部４４に出力する。
【００４３】
誤り検出部４８は、信号処理部４６から入力される受信データに誤りがあるか否かを判定し、その判定結果を再送制御部５０に通知する。なお、誤り検出の方式には、たとえばＣＲＣ（Cyclic Redundancy Check：巡回冗長検査）が用いられる。
【００４４】
再送制御部５０は、再送要求部５２および再送タイマ制御部５４を含み、送信装置１２に対してデータの再送要求などを行う。
【００４５】
再送要求部５２は、誤り検出部４８で誤りが検出された場合に、誤りが検出されたデータの再送を送信装置１２に要求する。具体的には、再送要求部５２は、誤りが検出されたデータの再送を要求するＳＲＥＪを生成し、生成したＳＲＥＪを送信装置１２に送信するよう信号処理部４６などを制御する。
【００４６】
再送タイマ制御部５４は、再送要求部５２がデータの再送を要求したタイミングで、そのデータに係るＳＲＥＪ再送タイマを起動するよう再送タイマ５６に指示する。このＳＲＥＪ再送タイマは、所定時間を計時するためのものであり、起動から所定時間後に満了（タイムアウト）する。また、再送タイマ制御部５４は、再送を要求したデータの受信が完了したタイミングで、そのデータに係るＳＲＥＪ再送タイマを停止するよう再送タイマ５６に指示する。ただし、送信装置１２がデータを分割再送する場合、再送タイマ制御部５４は、そのデータの一部（部分データ）が送信装置１２から受信されたタイミングで、そのデータに係るＳＲＥＪ再送タイマを再送タイマ５６に再起動（一旦停止させてから開始）させる。
【００４７】
再送タイマ５６は、再送タイマ制御部５４の指示に従って、計時を開始または停止する。具体的には、再送タイマ５６は、再送タイマ制御部５４に指定されたデータそれぞれについて、ＳＲＥＪ再送タイマの起動、停止、再起動を行う。
【００４８】
以上説明した無線通信システム１０によれば、あるデータの分割再送が完了する前にそのデータに係るＳＲＥＪ再送タイマおよび再送を要求された他のデータに係るＳＲＥＪ再送タイマがそれぞれ再起動されるため、再送タイマのタイムアウトによるデータ再送効率の低下を抑制することができる。
【００４９】
なお、本発明は上記実施形態に限定されるものではない。
【００５０】
上記実施形態では、送信装置１２が２つのデータをそれぞれ分割再送する例を示したが、本発明は、送信装置１２が３つ以上のデータをそれぞれ分割再送する場合にも適用可能である。たとえば、送信装置１２が４つのデータ（データ＃１〜＃４）をそれぞれ分割再送する場合、送信装置１２は、データ＃１の分割再送に、データ＃２の分割再送とデータ＃３の分割再送とデータ＃４の分割再送とをそれぞれ割り込ませる。そして、データ＃１の分割再送が完了すると、送信装置１２は、データ＃２の分割再送に、データ＃３の分割再送とデータ＃４の分割再送とをそれぞれ割り込ませる。さらに、データ＃２の分割再送が完了すると、送信装置１２は、データ＃３の分割再送にデータ＃４の分割再送を割り込ませる。
【００５１】
また、本発明は、ＳＲ方式を採用する無線通信システムに限らず、再送要求を送信したタイミングで再送タイマを起動するＡＲＱ方式を採用する無線通信システム全般（移動通信システムを含む）に適用可能である。また、受信装置から送信装置に送信される再送要求は、１つのデータだけを指定するタイプであってもよいし、２つ以上のデータを指定できるタイプであってもよい。
【符号の説明】
【００５２】
１０  無線通信システム、１２  送信装置、１４  受信装置、２０，４０  アンテナ、２２，４２  無線通信部、２４，４４  ベースバンド部、２６，４６  信号処理部、２８  送信データ形成部、３０，５０  再送制御部、３２  バッファ、３４  割込タイマ、４８  誤り検出部、５２  再送要求部、５４  再送タイマ制御部、５６  再送タイマ。
【図１】
0005610605.tif 000002
【図２】
0005610605.tif 000003
【図３】
0005610605.tif 000004
【図４】
0005610605.tif 000005
【図５】
0005610605.tif 000006